(57)【要約】【課題】電子機器のＶＢＵＳ端子に接続されている内部回路を過大な電圧から保護できるようにする。【解決手段】送電装置から供給される電力を第１の端子を介して受電するコネクタと、第１の端子の単位時間当たりの電圧変化量が第１の所定値以上となった場合、または、第１の端子の電圧が第２の所定値以上となった場合に、送電装置からの電力の供給が停止されるようにするための制御を行う制御手段とを有する。【選択図】図１
2019122111.tif 000002
【特許請求の範囲】
【請求項１】
送電装置から供給される電力を第１の端子を介して受電するコネクタと、
前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行う制御手段と
を有することを特徴とする電子機器。
【請求項２】
前記コネクタは、ＵＳＢ  Ｔｙｐｅ−Ｃ規格に準拠していることを特徴とする請求項１に記載の電子機器。
【請求項３】
前記コネクタは、抵抗とスイッチとを介して第１の電圧に接続され得る第２の端子をさらに有し、
前記制御手段は、前記スイッチの状態を変化させることによって、前記送電装置からの電力の供給を停止させることを特徴とする請求項１または２に記載の電子機器。
【請求項４】
前記送電装置との間で前記第２の端子を介して通信を行う通信部をさらに有することを特徴とする請求項３に記載の電子機器。
【請求項５】
前記制御手段は、前記第１の端子への所定電圧の印加を、前記通信部を介して前記送電装置に要求することを特徴とする請求項４に記載の電子機器。
【請求項６】
前記制御手段は、前記所定電圧の印加の承諾を示す情報を、前記通信部を介して前記送電装置から受け取ってから、前記所定電圧の印加の完了を示す情報を、前記通信部を介して前記送電装置から受け取るまでの間において、前記第１の端子の電圧の単位時間当たりの変化量が前記第１の所定値以上となった場合、または、前記第１の端子の電圧が前記第２の所定値以上となった場合に、前記送電装置からの電力の供給が停止されるように制御を行うことを特徴とする請求項５に記載の電子機器。
【請求項７】
前記第２の所定値は、前記所定電圧に応じた値であることを特徴とする請求項５または６に記載の電子機器。
【請求項８】
前記第２の所定値は、前記所定電圧よりも大きいことを特徴とする請求項５から７のいずれか１項に記載の電子機器。
【請求項９】
前記第２の所定値は、前記所定電圧に１．０５を乗じた値であることを特徴とする請求項５から８のいずれか１項に記載の電子機器。
【請求項１０】
前記第１の所定値は、３０［ｍＶ／μｓ］であることを特徴とする請求項１から９のいずれか１項に記載の電子機器。
【請求項１１】
電子機器の制御方法であって、
送電装置から供給される電力の受電に用いられる第１の端子の電圧の監視を開始するステップと、
前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行うステップと
を有することを特徴とする制御方法。
【請求項１２】
コンピュータに、
送電装置から供給される電力の受電に用いられる第１の端子の電圧の監視を開始するステップと、
前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行うステップと
を実行させるためのプログラム。
【発明の詳細な説明】
【技術分野】
【０００１】
本発明は、電子機器、その制御方法およびそれらに関連するプログラムに関するものである。
【背景技術】
【０００２】
ＵＳＢ（Ｕｎｉｖｅｒｓａｌ  Ｓｅｒｉａｌ  Ｂｕｓ）インターフェースを有する送電装置（パーソナルコンピュータ、ＡＣ−ＵＳＢアダプタなど）は、ＵＳＢケーブルを介して、ＵＳＢインターフェースを有する電子機器に電力を供給することが可能である。特許文献１には、外部電源と負荷との間に接続されたスイッチを、外部電源の電圧が過電圧となった際に切断状態にする方法が記載されている。
【先行技術文献】
【特許文献】
【０００３】
【特許文献１】特開平９−２１５１７６号公報
【発明の概要】
【発明が解決しようとする課題】
【０００４】
ＵＳＢ  Ｐｏｗｅｒ  Ｄｅｌｉｖｅｒｙ規格に準拠した送電装置は、最大で１００Ｗ（５Ａ，２０Ｖ）の電力を電子機器に供給することができる。そのため、送電装置の構成または状態によっては、送電装置から電子機器に印加できる電圧の最大値を超えた過大な電圧が電子機器のＶＢＵＳ端子に印加される可能性がある。このような過大な電圧が電子機器のＶＢＵＳ端子に印加されてしまった場合、電子機器のＶＢＵＳ端子に接続されている内部回路が故障してしまうことが想定される。
【０００５】
そこで、本発明は、電子機器のＶＢＵＳ端子に接続されている内部回路を過大な電圧から保護できるようにすることを目的とする。
【課題を解決するための手段】
【０００６】
本発明に係る電子機器は、送電装置から供給される電力を第１の端子を介して受電するコネクタと、前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行う制御手段とを有する。
【０００７】
本発明に係る制御方法は、電子機器の制御方法であって、送電装置から供給される電力の受電に用いられる第１の端子の電圧の監視を開始するステップと、前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行うステップとを有する。
【０００８】
本発明に係るプログラムは、コンピュータに、送電装置から供給される電力の受電に用いられる第１の端子の電圧の監視を開始するステップと、前記第１の端子の単位時間当たりの電圧変化量が第１の所定値以上となった場合、または、前記第１の端子の電圧が第２の所定値以上となった場合に、前記送電装置からの電力の供給が停止されるようにするための制御を行うステップとを実行させる。
【発明の効果】
【０００９】
本発明によれば、電子機器のＶＢＵＳ端子に接続されている内部回路を過大な電圧から保護することができる。
【図面の簡単な説明】
【００１０】
【図１】実施形態１における電子機器１００の構成要素の一例を説明するためのブロック図である。
【図２】コネクタ１０１のピン配置を説明するための図である。
【図３】実施形態１における電子機器１００の動作例を説明するためのフローチャートである。
【図４Ａ】ＣＣ端子１０１ａ、ＶＢＵＳ端子１０１ｂおよび判定部１０４の状態を説明するためのタイミングチャートである。
【図４Ｂ】ＣＣ端子１０１ａ、ＶＢＵＳ端子１０１ｂおよび判定部１０４の状態を説明するためのタイミングチャートである。
【図５Ａ】判定部１０４の構成要素の一例を説明するためのブロック図である。
【図５Ｂ】判定部１０４の構成要素の別の例を説明するためのブロック図である。
【発明を実施するための形態】
【００１１】
以下、図面を参照して本発明の実施形態を説明する。ただし、本発明は以下の実施形態に限定されるものではない。
【００１２】
［実施形態１］
まず、図１を参照して、実施形態１における電子機器１００の構成要素の一例を説明する。図１は、実施形態１における電子機器１００の構成要素を説明するためのブロック図である。電子機器１００は、撮像装置または携帯機器として動作可能な電子機器である。
【００１３】
図１に示すように、電子機器１００は、コネクタ１０１、プルダウン抵抗１０２、通信部１０３、判定部１０４、制御部１０５、スイッチ１０６、スイッチ制御部１０８、負荷部１０９および電池（不図示）を有する。電池は、ユーザが電子機器１００から取り外し可能である。
【００１４】
コネクタ１０１は、ＵＳＢ  Ｔｙｐｅ−Ｃケーブル１３０のプラグ１３１が接続されるＵＳＢ  Ｔｙｐｅ−Ｃコネクタ（レセプタクル）である。本明細書では、ＵＳＢ（Ｕｎｉｖｅｒｓａｌ  Ｓｅｒｉａｌ  Ｂｕｓ）  Ｔｙｐｅ−Ｃ規格に準拠したコネクタをＵＳＢ  Ｔｙｐｅ−Ｃコネクタと呼び、ＵＳＢ  Ｔｙｐｅ−Ｃ規格に準拠したケーブルをＵＳＢ  Ｔｙｐｅ−Ｃケーブルと呼ぶ。送電装置１２０は、ＵＳＢ  Ｔｙｐｅ−Ｃケーブル１３０を介してコネクタ１０１に接続される。コネクタ１０１は、ＵＳＢ  Ｔｙｐｅ−Ｃケーブル１３０を介して送電装置１２０から供給される電力を受電する。
【００１５】
コネクタ１０１は、少なくとも、ＣＣ（Ｃｏｎｆｉｇｕｒａｔｉｏｎ  Ｃｈａｎｎｅｌ）端子１０１ａ、ＶＢＵＳ端子１０１ｂおよびＧＮＤ端子１０１ｃを有する。ＣＣ端子１０１ａは、ＵＳＢ  ＰＤ（Ｐｏｗｅｒ  Ｄｅｌｉｖｅｒｙ）規格に準拠した所定の通信（以下、所定のＵＳＢ  ＰＤ通信）を送電装置１２０と行う際に用いられる。ＣＣ端子１０１ａは、ＵＳＢ  Ｔｙｐｅ−Ｃ規格に準拠した方法で送電装置１２０の給電能力を判定する際に用いられる。ＶＢＵＳ端子１０１ｂは、送電装置１２０から電子機器１００への電力供給に用いられる。ＧＮＤ端子１０１ｃは、接地線に接続される。コネクタ１０１は、図２に示すようなピン配置を有する。図２は、コネクタ１０１のピン配置を説明するための図である。コネクタ１０１のピン配置は、図２に示すように点対称となっている。
【００１６】
プルダウン抵抗１０２の一端は、スイッチ１０６を介して接地線と接続されている。接地線の電圧は例えば０［Ｖ］である。プルダウン抵抗１０２の他端は、ノード１０７を介してＣＣ端子１０１ａおよび通信部１０３と接続されている。プルダウン抵抗１０２の抵抗値は、ＵＳＢ  Ｔｙｐｅ−Ｃ規格に規定されている。プルダウン抵抗１０２は、ＣＣ端子１０１ａの電圧を変化させる際に用いられる。
【００１７】
通信部１０３は、ノード１０７を介してＣＣ端子１０１ａと接続されている。通信部１０３は、所定のＵＳＢ  ＰＤ通信を送電装置１２０とＣＣ端子１０１ａを介して行い、通信部１０３が所定のＵＳＢ  ＰＤ通信を送電装置１２０と行うことができたか否かを判定する。通信部１０３が所定のＵＳＢ  ＰＤ通信を送電装置１２０と行うことができたか否かは、通信部１０３から制御部１０５に通知される。
【００１８】
判定部１０４は、ＶＢＵＳ端子１０１ｂと接続されている。判定部１０４は、以下の式（１）に示す第１の条件が満たされたか否かを判定し、以下の式（２）に示す第２の条件が満たされたか否かを判定する。第１の条件および第２の条件のいずれか一方が満たされなかった場合、判定部１０４は、送電装置１２０からＶＢＵＳ端子１０１ｂに印加されている電圧が過大であることを示す信号を制御部１０５に供給する。なお、判定部１０４の構成例については後述する（図５Ａおよび図５Ｂ参照）。
ΔＶ＜Ａ［ｍＶ／μｓ］  ・・・（１）
Ｖ＜Ｖｒｅｑ×Ｂ［Ｖ］  ・・・（２）
【００１９】
式（１）におけるΔＶは、ＶＢＵＳ端子１０１ｂの単位時間当たりの電圧変化量を示す。式（１）におけるＡは、単位時間当たりの電圧変化量ΔＶの許容最大値（ＶＢＵＳ端子１０１ｂが許容できる電圧変化量ΔＶの最大値に相当）を示す。式（１）におけるＡは、例えば式（２）の電圧Ｖｒｅｑに基づいて決定される。実施形態１および他の実施形態では、電圧Ｖｒｅｑが例えば９［Ｖ］であり、Ａが例えば３０［ｍＶ／μｓ］である場合を説明する。なお、Ａは、ＵＳＢ  ＰＤ規格に基づいて決定することができる。
【００２０】
式（２）におけるＶは、ＶＢＵＳ端子１０１ｂの電圧を示す。式（２）における電圧Ｖｒｅｑ（所定電圧に相当）は、ＶＢＵＳ端子１０１ｂに印加することを電子機器１００が送電装置１２０に要求した電圧を示す。式（２）におけるＢは、電圧Ｖｒｅｑに基づいて決定される。Ｖｒｅｑ×Ｂは、ＶＢＵＳ端子１０１ｂの許容最大電圧（ＶＢＵＳ端子１０１ｂに印加することが許容される電圧の最大値に相当）を示す。実施形態１および他の実施形態では、電圧Ｖｒｅｑが例えば９［Ｖ］であり、Ｂが例えば１．０５である場合を説明する。なお、Ｂは、ＵＳＢ  ＰＤ規格に基づいて決定することができる。
【００２１】
制御部１０５は、電子機器１００の各構成要素を制御するためのプログラムを記憶したメモリと、そのメモリに記憶されたプログラムを実行することにより電子機器１００の各構成要素を制御するプロセッサ（例：ハードウェアプロセッサ）とを有する。
【００２２】
スイッチ１０６は、プルダウン抵抗１０２と接地線とを接続するか否かを切り替えるスイッチである。スイッチ１０６がＯＮ状態（導通状態に相当）になると、プルダウン抵抗１０２は接地線と接続され、ＣＣ端子１０１ａの電圧はプルダウン電圧までプルダウンされる。なお、プルダウン電圧は、ＵＳＢ  Ｔｙｐｅ−Ｃ規格に準拠した電圧（例えば２．４５［Ｖ］またはそれ以下）であればよい。スイッチ１０６がＯＦＦ状態（非導通状態に相当）になると、プルダウン抵抗１０２は接地線から切り離され、ＣＣ端子１０１ａの電圧はプルダウン電圧よりも高い電圧（例えば５［Ｖ］）に変化する。なお、実施形態１および他の実施形態では、スイッチ１０６がプルダウン抵抗１０２と接地線との間に配置される例を説明するがスイッチ１０６の配置はこれに限るものではない。例えば、スイッチ１０６は、ノード１０７とプルダウン抵抗１０２との間に配置してもよい。
【００２３】
スイッチ制御部１０８は、スイッチ１０６がＯＮ状態またはＯＦＦ状態となるようにスイッチ１０６を制御する。スイッチ制御部１０８は、制御部１０５から供給される制御信号に基づき、スイッチ１０６を制御する。式（１）に示す第１の条件および式（２）に示す第２の条件のいずれか一方が満たされなかったと判定部１０４が判定した場合、制御部１０５は、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。スイッチ１０６がＯＦＦ状態になると、ＣＣ端子１０１ａの電圧は、プルダウン電圧よりも高い電圧（例えば５［Ｖ］）に変化する。ＣＣ端子１０１ａの電圧がプルダウン電圧よりも高い電圧（例えば５［Ｖ］）に変化すると、送電装置１２０は、送電装置１２０と電子機器１００との接続が解除されたと判定する。送電装置１２０と電子機器１００との接続が解除されたと判定した場合、送電装置１２０は、ＶＢＵＳ端子１０１ｂへの電圧の印加を停止する。なお、制御部１０５は、スイッチ１０６をＯＦＦ状態にするための制御信号をスイッチ制御部１０８に供給してから所定の時間が経過した後に、スイッチ１０６をＯＮ状態にするための制御信号をスイッチ制御部１０８に供給するようにしてもよい。所定の時間は、ＣＣ端子１０１ａの電圧の変化により、送電装置１２０が送電装置１２０と電子機器１００との接続が解除されたと判定するのに十分な時間であればよい。
【００２４】
負荷部１０９は、ＶＢＵＳ端子１０１ｂと接続されている。負荷部１０９は、撮像装置または携帯機器としての機能をユーザに提供するための構成要素を含む。負荷部１０９は、送電装置１２０または電池から供給される電力により動作する。送電装置１２０から供給される電力は、ＶＢＵＳ端子１０１ｂを介いて負荷部１０９に供給される。
【００２５】
送電装置１２０は、ＵＳＢ  Ｔｙｐｅ−Ｃケーブル１３０を介して電子機器１００に電力を供給する外部電源装置として動作する。送電装置１２０は、例えば、ＡＣ−ＵＳＢアダプタとして動作する。送電装置１２０は、少なくとも、ＡＣ電源（不図示）に接続されるプラグ１２１と、交流電圧を直流電圧に変換する変換部（不図示）と、ＵＳＢ  Ｔｙｐｅ−Ｃケーブル１３０が接続されるコネクタ（不図示）とを有する。なお、送電装置１２０は、ＡＣ−ＵＳＢアダプタに限定されるものではない。例えば、送電装置１２０は、パーソナルコンピュータであってもよいし、携帯可能な電池であってもよい。
【００２６】
図３は、実施形態１における電子機器１００の動作例を説明するためのフローチャートである。
【００２７】
ＵＳＢ  Ｔｙｐｅ−Ｃケーブル１３０のプラグ１３１が電子機器１００のコネクタ１０１に挿入されると、ステップＳ３０１が開始される。ステップＳ３０１において、制御部１０５は、スイッチ１０６をＯＮ状態にするための制御信号をスイッチ制御部１０８に供給する。スイッチ制御部１０８は、制御部１０５から供給される制御信号に基づき、スイッチ１０６をＯＮ状態にする。これにより、プルダウン抵抗１０２は接地線と接続され、ＣＣ端子１０１ａの電圧はプルダウン電圧までプルダウンされる。
【００２８】
ステップＳ３０２において、通信部１０３は、ＣＣ端子１０１ａを介して所定のＵＳＢ  ＰＤ通信を送電装置１２０と行い、通信部１０３が所定のＵＳＢ  ＰＤ通信を送電装置１２０と行うことができたか否かを判定する。通信部１０３が所定のＵＳＢ  ＰＤ通信を送電装置１２０と行うことができたか否かは、通信部１０３から制御部１０５に通知される。制御部１０５は、通信部１０３が所定のＵＳＢ  ＰＤ通信を送電装置１２０と行うことができたか否かにより、送電装置１２０がＵＳＢ  ＰＤ規格に準拠しているか否かを判定する。通信部１０３が所定のＵＳＢ  ＰＤ通信を送電装置１２０と行うことができた場合、制御部１０５は、送電装置１２０がＵＳＢ  ＰＤ規格に準拠していると判定する（ステップＳ３０２でＹＥＳ）。送電装置１２０がＵＳＢ  ＰＤ規格に準拠している場合、制御部１０５は、ステップＳ３０３に進む。通信部１０３が所定のＵＳＢ  ＰＤ通信を送電装置１２０と行うことができなかった場合、制御部１０５は、送電装置１２０がＵＳＢ  ＰＤ規格に準拠していないと判定する（ステップＳ３０２でＮＯ）。送電装置１２０がＵＳＢ  ＰＤ規格に準拠していない場合、スイッチ１０６はＯＮ状態を維持する。この場合、ＵＳＢ  ＰＤ規格ではなくＵＳＢ  Ｔｙｐｅ−Ｃ規格に準拠した電力が送電装置１２０から電子機器１００に供給されることになる。
【００２９】
ステップＳ３０３において、通信部１０３は、送電装置１２０がＶＢＵＳ端子１０１ｂに印加する電圧を電圧Ｖｒｅｑに上げることを送電装置１２０にＣＣ端子１０１ａを介して要求する。実施形態１および他の実施形態では、電圧Ｖｒｅｑが例えば９［Ｖ］である例を説明する。
【００３０】
ステップＳ３０４において、制御部１０５は、判定動作を行うことを判定部１０４に要求する。判定部１０４は、判定動作を開始する。これにより、ＶＢＵＳ端子１０１ｂの電圧の監視が判定部１０４によって開始される。
【００３１】
ステップＳ３０５において、判定部１０４は、ＶＢＵＳ端子１０１ｂの電圧を検出すると共に、式（１）に示す第１の条件が満たされたか否かを判定する。例えば、判定部１０４は、判定部１０４で検出されたＶＢＵＳ端子１０１ｂの最新の電圧と判定部１０４で検出されたＶＢＵＳ端子１０１ｂの前回の電圧との差分に基づき、ＶＢＵＳ端子１０１ｂの単位時間当たりの電圧変化量ΔＶが３０［ｍＶ／μｓ］未満（第１の所定値未満）であるか否かを判定する。ＶＢＵＳ端子１０１ｂの単位時間当たりの電圧変化量ΔＶが３０［ｍＶ／μｓ］未満である場合、判定部１０４は、第１の条件が満たされたと判定する（ステップＳ３０５でＹＥＳ）。第１の条件が満たされた場合、判定部１０４は、ステップＳ３０６に進む。ＶＢＵＳ端子１０１ｂの単位時間当たりの電圧変化量ΔＶが３０［ｍＶ／μｓ］以上（第１の所定値以上）である場合、判定部１０４は、第１の条件が満たされなかったと判定する（ステップＳ３０５でＮＯ）。第１の条件が満たされなかった場合、判定部１０４は、送電装置１２０からＶＢＵＳ端子１０１ｂに印加されている電圧が過大であることを示す信号を制御部１０５に供給し、ステップＳ３０９に進む。
【００３２】
ステップＳ３０９において、制御部１０５は、送電装置１２０からＶＢＵＳ端子１０１ｂに印加されている電圧が過大であると判定する。さらに、制御部１０５は、判定動作を停止するように判定部１０４を制御すると共に、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。スイッチ１０６がＯＦＦ状態になると、プルダウン抵抗１０２は接地線から切り離され、ＣＣ端子１０１ａの電圧はプルダウン電圧よりも高い電圧（例えば５［Ｖ］）に変化する。ＣＣ端子１０１ａの電圧がプルダウン電圧よりも高い電圧（例えば５［Ｖ］）に変化すると、送電装置１２０は、送電装置１２０と電子機器１００との接続が解除されたと判定する。送電装置１２０と電子機器１００との接続が解除されたと判定した場合、送電装置１２０は、ＶＢＵＳ端子１０１ｂへの電圧の印加を停止する。これにより、電子機器１００は、電子機器１００のＶＢＵＳ端子１０１ｂに接続されている内部回路（負荷部１０９など）を過大な電圧から保護することができる。
【００３３】
ステップＳ３０６において、判定部１０４は、ＶＢＵＳ端子１０１ｂの電圧を検出すると共に、式（２）に示す第２の条件が満たされたか否かを判定する。例えば、判定部１０４は、ＶＢＵＳ端子１０１ｂの電圧が９．４５［Ｖ］（第２の所定値に相当）未満であるか否かを判定する。ＶＢＵＳ端子１０１ｂの電圧が９．４５［Ｖ］未満である場合、判定部１０４は、第２の条件が満たされたと判定する（ステップＳ３０６でＹＥＳ）。第２の条件が満たされた場合、判定部１０４は、ステップＳ３０７に進む。ＶＢＵＳ端子１０１ｂの許容最大電圧が９．４５［Ｖ］以上である場合、判定部１０４は、第２の条件が満たされなかったと判定する（ステップＳ３０６でＮＯ）。第２の条件が満たされなかった場合、判定部１０４は、送電装置１２０からＶＢＵＳ端子１０１ｂに印加されている電圧が過大であることを示す信号を制御部１０５に供給し、ステップＳ３０９に進む。なお、ステップＳ３０５、Ｓ３０６およびＳ３０７の繰り返しが所定回数を超えた場合も、判定部１０４は、第２の条件が満たされなかったと判定する。
【００３４】
ステップＳ３０７において、通信部１０３は、電圧変更完了信号を送電装置１２０からＣＣ端子１０１ａを介して受信できたか否かを判定する。電圧変更完了信号は、ＶＢＵＳ端子１０１ｂに印加する電圧を電圧Ｖｒｅｑに上げる動作が完了したことを示す情報を含む。通信部１０３が電圧変更完了信号を送電装置１２０からＣＣ端子１０１ａを介して受信できたか否かは、通信部１０３から制御部１０５に通知される。通信部１０３が電圧変更完了信号を送電装置１２０からＣＣ端子１０１ａを介して受信できた場合、制御部１０５は、ＶＢＵＳ端子１０１ｂに印加する電圧を電圧Ｖｒｅｑに上げる動作が完了したと判定し、ステップＳ３０８に進む（ステップＳ３０７でＹＥＳ）。通信部１０３が電圧変更完了信号を送電装置１２０からＣＣ端子１０１ａを介して受信できなかった場合、制御部１０５は、ステップＳ３０５に戻る（ステップＳ３０７でＮＯ）。
【００３５】
ステップＳ３０８において、判定部１０４は、判定動作を停止する。判定部１０４が判定動作を停止した場合であっても、スイッチ１０６はＯＮ状態を維持する。スイッチ１０６がＯＮ状態を維持することにより、ステップＳ３０８の後も、送電装置１２０から電子機器１００への電力の供給は維持される。
【００３６】
図４Ａおよび図４Ｂは、ＣＣ端子１０１ａ、ＶＢＵＳ端子１０１ｂおよび判定部１０４の状態を説明するためのタイミングチャートである。図４Ａでは、式（１）に示す第１の条件が満たされない場合における、ＣＣ端子１０１ａ、ＶＢＵＳ端子１０１ｂおよび判定部１０４の状態を説明する。
【００３７】
Ｔ４０１は、送電装置１２０とＵＳＢ  Ｔｙｐｅ−Ｃケーブル１３０とが接続されている状態で、ＵＳＢ  Ｔｙｐｅ−Ｃケーブル１３０のプラグ１３１が電子機器１００のコネクタ１０１に挿入された時点を示す。Ｔ４０１においては、ＣＣ端子１０１ａの電圧はプルダウン電圧よりも高い電圧（例えば５［Ｖ］）である。ＣＣ端子１０１ａの電圧がプルダウン電圧よりも高い電圧（例えば５［Ｖ］）である場合、送電装置１２０は、送電装置１２０と電子機器１００とが接続されていないと判定するため、ＶＢＵＳ端子１０１ｂへの電圧の印加を行わない。このため、Ｔ４０１において、ＶＢＵＳ端子１０１ｂの電圧は例えば０［Ｖ］となっている。
【００３８】
ＵＳＢ  Ｔｙｐｅ−Ｃケーブル１３０のプラグ１３１が電子機器１００のコネクタ１０１に挿入されると、ステップＳ３０１が開始される。ステップＳ３０１において、制御部１０５は、スイッチ１０６をＯＮ状態にするための制御信号をスイッチ制御部１０８に供給する。スイッチ制御部１０８は、制御部１０５から供給される制御信号に基づき、スイッチ１０６をＯＮ状態にする。これにより、プルダウン抵抗１０２は接地線と接続され、ＣＣ端子１０１ａの電圧はプルダウン電圧（例えば２．４５［Ｖ］）までプルダウンされる。なお、プルダウン電圧は、ＵＳＢ  Ｔｙｐｅ−Ｃ規格に準拠した値であればよい。ＣＣ端子１０１ａの電圧がプルダウン電圧になると、送電装置１２０は、電子機器１００と送電装置１２０とが接続されたと判定し、プルダウン電圧よりも高い電圧（例えば５［Ｖ］）をＶＢＵＳ端子１０１ｂに印加する。
【００３９】
プルダウン電圧よりも高い電圧（例えば５［Ｖ］）がＶＢＵＳ端子１０１ｂに印加されると、通信部１０３は、ＣＣ端子１０１ａを介してＵＳＢ  ＰＤ通信４０１、４０２および４０３を送電装置１２０と行う。ＵＳＢ  ＰＤ通信４０１、４０２および４０３はいずれもＵＳＢ  ＰＤ規格に準拠した通信である。
【００４０】
ＵＳＢ  ＰＤ通信４０１において、送電装置１２０は、利用可能な電圧のリストを電子機器１００に送信する。通信部１０３は、利用可能な電圧のリストをＣＣ端子１０１ａを介して送電装置１２０から受信し、受信したリストを制御部１０５に通知する。ＵＳＢ  ＰＤ通信４０１が開始されてから所定時間が経過するまでに利用可能な電圧のリストが通信部１０３から通知された場合、制御部１０５は、通信部１０３が所定のＵＳＢ  ＰＤ通信を送電装置１２０と行うことができたと判定する。この場合、制御部１０５は、送電装置１２０がＵＳＢ  ＰＤ規格に準拠していると判定する（ステップＳ３０２でＹＥＳ）。ＵＳＢ  ＰＤ通信４０１が開始されてから所定時間が経過するまでに利用可能な電圧のリストが通信部１０３から通知されなかった場合、制御部１０５は、通信部１０３が所定のＵＳＢ  ＰＤ通信を送電装置１２０と行うことができなかったと判定する。この場合、制御部１０５は、送電装置１２０がＵＳＢ  ＰＤ規格に準拠していないと判定する（ステップＳ３０２でＮＯ）。
【００４１】
送電装置１２０がＵＳＢ  ＰＤ規格に準拠していると判定された後、ＵＳＢ  ＰＤ通信４０２が行われる。ＵＳＢ  ＰＤ通信４０２において、通信部１０３は、送電装置１２０がＶＢＵＳ端子１０１ｂに印加する電圧を電圧Ｖｒｅｑ（例えば９［Ｖ］）に上げることを送電装置１２０にＣＣ端子１０１ａを介して要求する（ステップＳ３０３）。
【００４２】
送電装置１２０がＶＢＵＳ端子１０１ｂに印加する電圧を電圧Ｖｒｅｑ（例えば９［Ｖ］）に上げることを送電装置１２０にＣＣ端子１０１ａを介して要求した後、ＵＳＢ  ＰＤ通信４０３が行われる。ＵＳＢ  ＰＤ通信４０３において、通信部１０３は、送電装置１２０は、ＶＢＵＳ端子１０１ｂに印加する電圧を電圧Ｖｒｅｑに上げること承諾したことを示す情報を含む承諾信号を電子機器１００に送信する。通信部１０３は、承諾信号を送電装置１２０からＣＣ端子１０１ａを介して受信できたか否かを判定する。通信部１０３が承諾信号を送電装置１２０からＣＣ端子１０１ａを介して受信できたか否かは、通信部１０３から制御部１０５に通知される。
【００４３】
通信部１０３が承諾信号を送電装置１２０からＣＣ端子１０１ａを介して受信された後、制御部１０５は、上述した判定動作を行うことを判定部１０４に要求する（ステップＳ３０４）。Ｔ４０２は、判定部１０４が判定動作を開始した時点を示す。
【００４４】
送電装置１２０がＶＢＵＳ端子１０１ｂに電圧Ｖｒｅｑ（例えば９［Ｖ］）を印加すると、符号４０５が示すように、ＶＢＵＳ端子１０１ｂの電圧が徐々に上昇していく。Ｔ４０２から上述した電圧変更完了信号が受信されるまでの期間、判定部１０４は、式（１）に示す第１の条件および式（２）に示す第２の条件の両方が満たされたか否かを繰り返し判定する。
【００４５】
Ｔ４０３は、式（２）に示す第２の条件は満たされているにもかかわらず、ＶＢＵＳ端子１０１ｂの単位時間当たりの電圧変化量ΔＶが例えば３０［ｍＶ／μｓ］以上に達した時点を示す。Ｔ４０３において、判定部１０４は、式（１）に示す第１の条件が満たされなかったと判定する（ステップＳ３０５でＮＯ）。そして、判定部１０４は、送電装置１２０からＶＢＵＳ端子１０１ｂに印加されている電圧が過大であることを示す信号を制御部１０５に供給し、ステップＳ３０９に進む。ステップＳ３０９において、制御部１０５は、判定動作を停止するように判定部１０４を制御すると共に、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。スイッチ１０６がＯＦＦ状態になると、プルダウン抵抗１０２は接地線から切り離され、ＣＣ端子１０１ａの電圧はプルダウン電圧よりも高い電圧（例えば５［Ｖ］）まで上昇する。
【００４６】
Ｔ４０４は、ＣＣ端子１０１ａの電圧がプルダウン電圧よりも高い電圧（例えば５［Ｖ］）である時点を示す。Ｔ４０４において、送電装置１２０は、ＣＣ端子１０１ａの電圧がプルダウン電圧よりも高い電圧（例えば５［Ｖ］）になったことを検出する共に、送電装置１２０と電子機器１００との接続が解除されたと判定する。送電装置１２０と電子機器１００との接続が解除されたと判定した場合、送電装置１２０は、ＶＢＵＳ端子１０１ｂへの電圧の印加を停止する。送電装置１２０からＶＢＵＳ端子１０１ｂへの電圧の印加が停止されると、ＶＢＵＳ端子１０１ｂの電圧はやがて０［Ｖ］となる。これにより、電子機器１００は、電子機器１００のＶＢＵＳ端子１０１ｂに接続されている内部回路（負荷部１０９など）を過大な電圧から保護することができる。
【００４７】
図４Ｂでは、式（２）に示す第２の条件が満たされない場合における、ＣＣ端子１０１ａ、ＶＢＵＳ端子１０１ｂおよび判定部１０４の状態を説明する。図４ＢのＴ４０１からＴ４０２までは、図４ＡのＴ４０１からＴ４０２までと同様であるため、それらの説明を省略する。
【００４８】
送電装置１２０がＶＢＵＳ端子１０１ｂに電圧Ｖｒｅｑ（例えば９［Ｖ］）を印加すると、符号４０６が示すように、ＶＢＵＳ端子１０１ｂの電圧が徐々に上昇していく。Ｔ４０２から上述した電圧変更完了信号が受信されるまでの期間、判定部１０４は、式（１）に示す第１の条件および式（２）に示す第２の条件の両方が満たされたか否かを繰り返し判定する。
【００４９】
Ｔ４０５は、式（１）に示す第１の条件は満たされているにもかかわらず、ＶＢＵＳ端子１０１ｂの電圧が例えばＶｒｅｑ×Ｂ＝９．４５［Ｖ］に達した時点を示す。Ｔ４０５において、判定部１０４は、式（２）に示す第２の条件が満たされなかったと判定する（ステップＳ３０６でＮＯ）。第２の条件が満たされなかった場合、そして、判定部１０４は、送電装置１２０からＶＢＵＳ端子１０１ｂに印加されている電圧が過大であることを示す信号を制御部１０５に供給し、ステップＳ３０９に進む。ステップＳ３０９において、制御部１０５は、判定動作を停止するように判定部１０４を制御すると共に、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。スイッチ１０６がＯＦＦ状態になると、プルダウン抵抗１０２は接地線から切り離され、ＣＣ端子１０１ａの電圧はプルダウン電圧よりも高い電圧（例えば５［Ｖ］）まで上昇する。
【００５０】
Ｔ４０４は、ＣＣ端子１０１ａの電圧がプルダウン電圧よりも高い電圧（例えば５［Ｖ］）である時点を示す。Ｔ４０４において、送電装置１２０は、ＣＣ端子１０１ａの電圧がプルダウン電圧よりも高い電圧（例えば５［Ｖ］）になったことを検出する共に、送電装置１２０と電子機器１００との接続が解除されたと判定する。送電装置１２０と電子機器１００との接続が解除されたと判定した場合、送電装置１２０は、ＶＢＵＳ端子１０１ｂへの電圧の印加を停止する。送電装置１２０からＶＢＵＳ端子１０１ｂへの電圧の印加が停止されると、ＶＢＵＳ端子１０１ｂの電圧はやがて０［Ｖ］となる。これにより、電子機器１００は、電子機器１００のＶＢＵＳ端子１０１ｂに接続されている内部回路（負荷部１０９など）を過大な電圧から保護することができる。
【００５１】
図５Ａは、判定部１０４の構成要素の一例を説明するためのブロック図である。図５Ａに示すように、判定部１０４は、ＡＤ変換部５０１および処理部５０２を有する。処理部５０２の動作は、制御部１０５によって制御され、ＡＤ変換部５０１の動作は、処理部５０２によって制御される。
【００５２】
ＡＤ変換部５０１は、ＶＢＵＳ端子１０１ｂと接続されている。ＡＤ変換部５０１は、ＶＢＵＳ端子１０１ｂの電圧をデジタル信号に変換する。生成されたデジタル信号は、ＡＤ変換部５０１から処理部５０２に供給される。ＡＤ変換部５０１としては、周知のＡＤ変換部を用いればよい。ＡＤ変換部５０１は、例えば、逐次比較型のＡＤ変換部であってもよいし、シグマ・デルタ型のＡＤ変換部であってもよい。なお、ＶＢＵＳ端子１０１ｂの電圧は、ＡＤ変換部５０１に印加する前に、分圧抵抗で分圧してもよい。
【００５３】
処理部５０２は、ＡＤ変換部５０１から供給されるデジタル信号に基づいて、式（１）に示す第１の条件および式（２）に示す第２の条件の両方が満たされるか否かを判定する。処理部５０２は、ＡＤ変換部５０１に任意のタイミングでタイミング信号を供給する。ＡＤ変換部５０１は、ＶＢＵＳ端子１０１ｂの電圧を示すデジタル信号を処理部５０２から供給されるタイミング信号に応じて生成し、生成したデジタル信号を処理部５０２に供給する。処理部５０２は、メモリ５０９を有する。メモリ５０９には、ＡＤ変換部５０１で検出されたＶＢＵＳ端子１０１ｂの最新の電圧を示すデジタル信号と、ＡＤ変換部５０１で検出されたＶＢＵＳ端子１０１ｂの前回の電圧を示すデジタル信号とが記憶される。処理部５０２は、メモリ５０９に記憶されている２つのデジタル信号の差分とＡ＝３０［ｍＶ／μｓ］とに基づき、式（１）に示す第１の条件が満たされたか否かを判定する。さらに、処理部５０２は、ＡＤ変換部５０１で検出されたＶＢＵＳ端子１０１ｂの最新の電圧を示すデジタル信号とＶｒｅｑ＝９とＢ＝１．０５とに基づき、式（２）に示す第２の条件が満たされたか否かを判定する。
【００５４】
上述したステップＳ３０５において、処理部５０２は、メモリ５０９に記憶されている２つのデジタル信号の差分に基づき、ＶＢＵＳ端子１０１ｂの単位時間当たりの電圧変化量ΔＶを計算する。ＶＢＵＳ端子１０１ｂの単位時間当たりの電圧変化量ΔＶは、以下の式（３）に基づいて計算される。
ΔＶ＝（Ｖｘ−Ｖｘ＋１）／ｔ［ｍＶ／μｓ］  ・・・（３）
【００５５】
ここで、Ｖｘは、ＡＤ変換部５０１で検出されたＶＢＵＳ端子１０１ｂの前回の電圧を示すデジタル信号に相当する。Ｖｘ＋１は、ＡＤ変換部５０１で検出されたＶＢＵＳ端子１０１ｂの最新の電圧を示すデジタル信号に相当する。ｔは、ＶＢＵＳ端子１０１ｂの前回の電圧が検出された時点からＶＢＵＳ端子１０１ｂの最新の電圧が検出された時点までの時間間隔（或いは、ＡＤ変換部５０１から処理部５０２にデジタル信号が供給される時間間隔）に相当する。
【００５６】
ＶＢＵＳ端子１０１ｂの単位時間当たりの電圧変化量ΔＶが計算された後、処理部５０２は、計算された電圧変化量ΔＶに基づき、式（１）に示す第１の条件が満たされたか否かを判定する。例えば、処理部５０２は、計算された電圧変化量ΔＶと３０［ｍＶ／μｓ］とを比較する。計算された電圧変化量ΔＶが３０［ｍＶ／μｓ］未満である場合、判定部１０４は、第１の条件が満たされたと判定する（ステップＳ３０５でＹＥＳ）。第１の条件が満たされた場合、判定部１０４は、ステップＳ３０６に進む。計算された電圧変化量ΔＶが３０［ｍＶ／μｓ］以上である場合、判定部１０４は、第１の条件が満たされなかったと判定する（ステップＳ３０５でＮＯ）。第１の条件が満たされなかった場合、判定部１０４は、送電装置１２０からＶＢＵＳ端子１０１ｂに印加されている電圧が過大であることを示す信号を制御部１０５に供給し、ステップＳ３０９に進む。
【００５７】
上述したステップＳ３０６において、処理部５０２は、ＡＤ変換部５０１で検出されたＶＢＵＳ端子１０１ｂの最新の電圧を示すデジタル信号に基づき、式（２）に示す第２の条件が満たされたか否かを判定する。例えば、処理部５０２は、ＡＤ変換部５０１で検出された最新の電圧とＶｒｅｑ×Ｂ＝９．４５［Ｖ］とを比較する。ＡＤ変換部５０１で検出された最新の電圧が９．４５［Ｖ］未満である場合、判定部１０４は、第２の条件が満たされたと判定する（ステップＳ３０６でＹＥＳ）。第２の条件が満たされた場合、判定部１０４は、ステップＳ３０７に進む。ＡＤ変換部５０１で検出された最新の電圧が９．４５［Ｖ］以上である場合、判定部１０４は、第２の条件が満たされなかったと判定する（ステップＳ３０６でＮＯ）。第２の条件が満たされなかった場合、判定部１０４は、送電装置１２０からＶＢＵＳ端子１０１ｂに印加されている電圧が過大であることを示す信号を制御部１０５に供給し、ステップＳ３０９に進む。
【００５８】
上述した第１の条件および第２の条件のいずれか一方が満たされなかったと判定した場合、ＶＢＵＳ端子１０１ｂの電圧が過大であることを示す信号が処理部５０２から制御部１０５に供給される。この場合、制御部１０５は、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。
【００５９】
図５Ｂは、判定部１０４の構成要素の別の例を説明するための図である。図５Ｂに示すように、判定部１０４は、比較器５０３、ランプ波生成回路５０４および参照電圧生成回路５０５を有する。比較器５０３、ランプ波生成回路５０４および参照電圧生成回路５０５の動作は、制御部１０５によって制御される。
【００６０】
比較器５０３は、第１の入力端子Ｖｉｎ＋、第２の入力端子Ｖｉｎ−１および第３の入力端子Ｖｉｎ−２を有する３入力比較器である。比較器５０３の第１の入力端子Ｖｉｎ＋は、ＶＢＵＳ端子１０１ｂと接続され、ＶＢＵＳ端子１０１ｂの電圧が印加される。比較器５０３の第２の入力端子Ｖｉｎ−１は、ランプ波生成回路５０４と接続され、ランプ波生成回路５０４で生成されたランプ波が入力される。比較器５０３の第３の入力端子Ｖｉｎ−２は、参照電圧生成回路５０５と接続され、参照電圧生成回路５０５で生成された参照電圧が印加される。ＶＢＵＳ端子１０１ｂの電圧が、ランプ波生成回路５０４から供給されるランプ波の電圧未満であり、且つ、参照電圧生成回路５０５から供給される基準電圧未満である場合、比較器５０３はＬｏｗレベルの信号ＯＵＴを出力する。ＶＢＵＳ端子１０１ｂの電圧が、ランプ波生成回路５０４から供給されるランプ波の電圧以上、または、参照電圧生成回路５０５から供給される参照電圧以上となった場合に、比較器５０３はＨｉｇｈレベルの信号ＯＵＴを出力する。比較器５０３から出力される信号ＯＵＴは、制御部１０５に入力される。比較器５０３から出力されるＨｉｇｈレベルの信号ＯＵＴは、式（１）に示す第１の条件および式（２）に示す第２の条件のいずれか一方が満たされなかったことを意味する。比較器５０３から出力される信号ＯＵＴがＬｏｗレベルからＨｉｇｈレベルに変化した場合、制御部１０５は、スイッチ１０６をＯＦＦ状態にするための制御信号をスイッチ制御部１０８に供給する。制御部１０５から比較器５０３に供給される第１の制御信号ＣＴＬ１がＨｉｇｈレベルである場合、比較器５０３は比較動作を行う。制御部１０５から比較器５０３に供給される第１の制御信号ＣＴＬ１がＬｏｗレベルである場合、比較器５０３は比較動作を行わない。
【００６１】
ランプ波生成回路５０４は、ランプ状のアナログ信号であるランプ波（参照信号に相当）を生成する。ランプ波生成回路５０４から出力されるランプ波は、比較器５０３の第２の入力端子Ｖｉｎ−１に入力される。電圧Ｖｒｅｑが例えば９［Ｖ］である場合、ランプ波生成回路５０４は、３０［ｍＶ／μｓ］に相当するランプ波を出力する。制御部１０５からランプ波生成回路５０４に供給される第２の制御信号ＣＴＬ２がＨｉｇｈレベルである場合、ランプ波生成回路５０４はランプ波の出力を開始する。制御部１０５からランプ波生成回路５０４に供給される第２の制御信号ＣＴＬ２がＬｏｗレベルである場合、ランプ波生成回路５０４はランプ波の出力を停止する。
【００６２】
参照電圧生成回路５０５は、固定抵抗である第１の抵抗５０６と、可変抵抗である第２の抵抗５０７とを有し、Ｖｒｅｑ×Ｂに相当する参照電圧を生成する。第１の抵抗５０６の一端は、例えば電子機器の１００の電源（電池など）と接続されている。第１の抵抗５０６の他端は、ノード５０８を介して第２の抵抗５０７の一端および比較器５０３の第３の入力端子Ｖｉｎ−２と接続されている。第２の抵抗５０７の他端は、接地線と接続されている。このように、参照電圧生成回路５０５は、電子機器の１００の電源から供給される電圧を第１の抵抗５０６と第２の抵抗５０７とによって分圧することにより、参照電圧を生成する。参照電圧生成回路５０５で生成された参照電圧は、比較器５０３の第３の入力端子Ｖｉｎ−２に印加される。参照電圧生成回路５０５で生成される参照電圧は、制御部１０５が第２の抵抗５０７の抵抗値を制御することにより変更される。電圧Ｖｒｅｑが例えば９［Ｖ］であり、Ｂが例えば１．０５である場合、参照電圧は９．４５［Ｖ］である。制御部１０５は、第２の抵抗５０７の抵抗値を制御することにより、参照電圧の値を電圧Ｖｒｅｑに応じた値に変更することができる。
【００６３】
なお、ＶＢＵＳ端子１０１ｂの電圧は、比較器５０３の第１の入力端子Ｖｉｎ＋に印加する前に、分圧抵抗で分圧してもよい。例えば、ＶＢＵＳ端子１０１ｂの電圧のａ倍（ａ＜１）の電圧が、比較器５０３の第１の入力端子Ｖｉｎ＋に印加されるようにしてもよい。この場合、ランプ波生成回路５０４は、ａ×３０［ｍＶ／μｓ］に相当するランプ波を出力する。また、この場合、参照電圧生成回路５０５は、ａ×Ｖｒｅｑ×１．０５［Ｖ］の参照電圧を生成する。
【００６４】
上述したステップＳ３０５において、比較器５０３は、第１の入力端子Ｖｉｎ＋の電圧（ＶＢＵＳ端子１０１ｂの電圧に相当）と第２の入力端子Ｖｉｎ−１の電圧（例えば３０［ｍＶ／μｓ］に相当）とを比較する。第１の入力端子Ｖｉｎ＋の電圧が第２の入力端子Ｖｉｎ−１の電圧未満である場合、判定部１０４は、式（１）に示す第１の条件が満たされたと判定する（ステップＳ３０５でＹＥＳ）。第１の条件が満たされた場合、判定部１０４は、ステップＳ３０６に進む。第１の入力端子Ｖｉｎ＋の電圧が第２の入力端子Ｖｉｎ−１の電圧以上である場合、判定部１０４は、第１の条件が満たされなかったと判定する（ステップＳ３０５でＮＯ）。第１の条件が満たされなかった場合、判定部１０４は、送電装置１２０からＶＢＵＳ端子１０１ｂに印加されている電圧が過大であることを示す信号を制御部１０５に供給し、ステップＳ３０９に進む。
【００６５】
上述したステップＳ３０６において、比較器５０３は、第１の入力端子Ｖｉｎ＋の電圧（ＶＢＵＳ端子１０１ｂの電圧に相当）と第３の入力端子Ｖｉｎ−２の電圧（例えば９．４５［Ｖ］に相当）とを比較する。第１の入力端子Ｖｉｎ＋の電圧が第３の入力端子Ｖｉｎ−２の電圧未満である場合、判定部１０４は、式（２）に示す第２の条件が満たされたと判定する（ステップＳ３０６でＹＥＳ）。第２の条件が満たされた場合、判定部１０４は、ステップＳ３０７に進む。第１の入力端子Ｖｉｎ＋の電圧が第３の入力端子Ｖｉｎ−２の電圧以上である場合、判定部１０４は、第２の条件が満たされなかったと判定する（ステップＳ３０６でＮＯ）。第２の条件が満たされなかった場合、判定部１０４は、送電装置１２０からＶＢＵＳ端子１０１ｂに印加されている電圧が過大であることを示す信号を制御部１０５に供給し、ステップＳ３０９に進む。
【００６６】
上述した第１の条件および第２の条件のいずれか一方が満たされなかったと判定した場合、ＶＢＵＳ端子１０１ｂの電圧が過大であることを示す信号が比較器５０３から制御部１０５に供給される。この場合、制御部１０５は、スイッチ１０６をＯＦＦ状態にするための制御信号をスイッチ制御部１０８に供給する。スイッチ制御部１０８は、制御部１０５から供給される制御信号に基づき、スイッチ１０６をＯＦＦ状態にする。
【００６７】
このように、実施形態１によれば、式（１）に示す第１の条件および式（２）に示す第２の条件のいずれか一方が満たされなかった場合、制御部１０５は、送電装置１２０からＶＢＵＳ端子１０１ｂに印加されている電圧が過大であると判定し、スイッチ１０６をＯＦＦ状態にする。スイッチ１０６がＯＦＦ状態になると、ＣＣ端子１０１ａの電圧がプルダウン電圧よりも高い電圧（例えば５［Ｖ］）となるため、送電装置１２０は、送電装置１２０と電子機器１００との接続が解除されたと判定する。これにより、送電装置１２０は、ＶＢＵＳ端子１０１ｂへの電圧の印加を停止する。このため、実施形態１によれば、電子機器１００は、電子機器１００のＶＢＵＳ端子１０１ｂに接続されている内部回路（負荷部１０９など）を過大な電圧から保護することができる。
【００６８】
なお、本発明の実施形態は上述した実施形態１に限定されるものではない。発明の要旨を逸脱しない範囲で変更または修正された実施形態１も本発明の実施形態に含まれる。
【００６９】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００７０】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００７１】
なお、本発明の実施形態は上述した実施形態２に限定されるものではない。発明の要旨を逸脱しない範囲で変更または修正された実施形態２も本発明の実施形態に含まれる。
【符号の説明】
【００７２】
１００・・・電子機器
１２０・・・送電装置
【図１】
2019122111.tif 000003
【図２】
2019122111.tif 000004
【図３】
2019122111.tif 000005
【図４Ａ】
2019122111.tif 000006
【図４Ｂ】
2019122111.tif 000007
【図５Ａ】
2019122111.tif 000008
【図５Ｂ】
2019122111.tif 000009